(57)【特許請求の範囲】
【請求項１】
浴槽湯温を目標温度に調整する温度調整手段と、浴槽湯温の設定温度Ｔｓを設定する設定手段と、入浴中であるか否かを判定する入浴判定手段とを備え、前記温度調整手段は、前記入浴判定手段が入浴中であると判定すると前記設定温度Ｔｓを目標温度として浴槽湯温を調整するとともに、前記入浴判定手段が入浴中ではないと判定すると所定の保温温度Ｔｋを目標温度として浴槽湯温を調整するよう構成されている風呂装置において、
前記温度調整手段は、少なくとも前記設定温度Ｔｓが所定の第１温度範囲内であるとき、前記設定温度Ｔｓと前記保温温度Ｔｋとの差分（Ｔｓ−Ｔｋ）が、前記設定温度Ｔｓによって変化するよう構成されており、
前記温度調整手段は、前記設定温度Ｔｓが前記第１温度範囲内であるとき、前記差分（Ｔｓ−Ｔｋ）が０以上の値となり、且つ、前記設定温度Ｔｓが高くなるほど前記差分（Ｔｓ−Ｔｋ）が大きくなるとともに前記保温温度Ｔｋが高くなるよう構成されていることを特徴とする風呂装置。
【請求項２】
請求項１に記載の風呂装置において、前記温度調整手段は、前記設定温度Ｔｓが前記第１温度範囲よりも高い所定の第２温度範囲内であるとき、前記設定温度Ｔｓと前記保温温度Ｔｋとの差分（Ｔｓ−Ｔｋ）が一定となるよう構成されていることを特徴とする風呂装置。
【請求項３】
浴槽湯温を目標温度に調整する温度調整手段と、浴槽湯温の設定温度Ｔｓを設定する設定手段と、入浴中であるか否かを判定する入浴判定手段とを備え、前記温度調整手段は、前記入浴判定手段が入浴中であると判定すると前記設定温度Ｔｓを目標温度として浴槽湯温を調整するとともに、前記入浴判定手段が入浴中ではないと判定すると所定の保温温度Ｔｋを目標温度として浴槽湯温を調整するよう構成されている風呂装置において、
前記温度調整手段は、少なくとも前記設定温度Ｔｓが所定の第１温度範囲内であるとき、前記設定温度Ｔｓと前記保温温度Ｔｋとの差分（Ｔｓ−Ｔｋ）が、前記設定温度Ｔｓによって変化するよう構成されており、
前記温度調整手段は、前記設定温度Ｔｓが前記第１温度範囲よりも高い所定の第２温度範囲内であるとき、前記設定温度Ｔｓと前記保温温度Ｔｋとの差分（Ｔｓ−Ｔｋ）が一定となるよう構成されていることを特徴とする風呂装置。
【請求項４】
請求項１，２又は３に記載の風呂装置において、前記温度調整手段は、前記設定温度Ｔｓが前記第１温度範囲よりも低い所定の第３温度範囲内であるとき、前記保温温度Ｔｋが一定となるよう構成されているか、前記保温温度Ｔｋが前記設定温度Ｔｓ以上の温度となるよう構成されているか、若しくは、前記設定温度Ｔｓと前記保温温度Ｔｋとの差分（Ｔｓ−Ｔｋ）が一定となるよう構成されている
ことを特徴とする風呂装置。
【請求項５】
浴槽湯温を目標温度に調整する温度調整手段と、浴槽湯温の設定温度Ｔｓを設定する設定手段と、入浴中であるか否かを判定する入浴判定手段とを備え、前記温度調整手段は、前記入浴判定手段が入浴中であると判定すると前記設定温度Ｔｓを目標温度として浴槽湯温を調整するとともに、前記入浴判定手段が入浴中ではないと判定すると所定の保温温度Ｔｋを目標温度として浴槽湯温を調整するよう構成されている風呂装置において、
前記温度調整手段は、少なくとも前記設定温度Ｔｓが所定の第１温度範囲内であるとき、前記設定温度Ｔｓと前記保温温度Ｔｋとの差分（Ｔｓ−Ｔｋ）が、前記設定温度Ｔｓによって変化するよう構成されており、
前記温度調整手段は、前記設定温度Ｔｓが前記第１温度範囲よりも低い所定の第３温度範囲内であるとき、前記保温温度Ｔｋが前記設定温度Ｔｓ以上の温度となるよう構成されていることを特徴とする風呂装置。
【請求項６】
浴槽湯温を目標温度に調整する温度調整手段と、浴槽湯温の設定温度Ｔｓを設定する設定手段と、入浴中であるか否かを判定する入浴判定手段とを備え、前記温度調整手段は、前記入浴判定手段が入浴中であると判定すると前記設定温度Ｔｓを目標温度として浴槽湯温を調整するとともに、前記入浴判定手段が入浴中ではないと判定すると所定の保温温度Ｔｋを目標温度として浴槽湯温を調整するよう構成されている風呂装置において、
前記温度調整手段は、少なくとも前記設定温度Ｔｓが所定の第１温度範囲内であるとき、前記設定温度Ｔｓと前記保温温度Ｔｋとの差分（Ｔｓ−Ｔｋ）が、前記設定温度Ｔｓによって変化するよう構成されており、
前記温度調整手段は、前記設定温度Ｔｓが前記第１温度範囲よりも低い所定の第３温度範囲内であるとき、前記設定温度Ｔｓと前記保温温度Ｔｋとの差分（Ｔｓ−Ｔｋ）が一定となるよう構成されていることを特徴とする風呂装置。
【発明の詳細な説明】
【技術分野】
【０００１】
本発明は、浴槽湯温の保温機能を有する風呂装置に関する。
【背景技術】
【０００２】
平成２８年１月２０日付け消費者庁Ｎｅｗｓ  Ｒｅｌｅａｓｅ「冬場に多発する高齢者の入浴中の事故にご注意下さい！」にも記載されているように、入浴は、身体を清潔に保つだけでなくリラックス効果をも期待できる我が国の重要な生活習慣の一つである一方、入浴する際の身体状況や入浴の環境によっては、意識障害を起こし溺水する等重大な事故につながる危険性がある。入浴時間の目安として、４１℃以下の湯に漬かる場合、１０分までとされている。平成２５年度の厚生労働省の研究班の調査では、救急車で運ばれた患者数から推計した入浴中の事故死の数は年間約１万９０００人とされている。入浴中の事故死は冬季に多く、１２月から２月にかけて全体の約５割が発生し、入浴中の事故死の数と気温に相関がみられるという報告もある。また、入浴中の事故死は、ほとんどが浴槽内で起きており、熱い湯に肩まで浸かるという日本固有の入浴スタイルが影響していると考えられている。
【０００３】
このような現況に鑑み、例えば下記の特許文献１には、入浴前後の温度差による入浴者の身体的負担を軽減するために、入出浴検出手段によって入浴者の浴槽内からの出浴が検出されると浴槽用湯の温度を所定の保温温度ＴＢＬまで低下させる一方、入浴者の浴槽内への入浴が検出されると浴槽用湯の温度を設定温度ＴＢＯまで上昇させることが可能な風呂装置（給湯装置）が提案されている。
【０００４】
この従来の風呂装置では、保温温度ＴＢＬを設定スイッチによって固定値として設定するか、或いは、設定温度ＴＢＯと保温温度ＴＢＬとの差分を固定値として設定するよう構成されている（特許文献１の段落番号０１２６参照）。
【先行技術文献】
【特許文献】
【０００５】
【特許文献１】特開２０１６−６３５８号公報
【発明の概要】
【発明が解決しようとする課題】
【０００６】
しかしながら、保温温度を例えば３８℃固定とすると、設定温度が高くなるほど設定温度と保温温度との差分が大きくなり、入浴検出によって浴槽用湯の沸き上げを開始してから設定温度に到達するまでの時間が長期化し、結果的に長湯を誘発することとなって、高齢者の温度感覚の鈍りも相まって熱中症を引き起こす可能性がある。
【０００７】
一方、設定温度と保温温度との差分を例えば３℃固定とすると、設定温度が４０℃未満の比較的低温である場合に保温温度が低くなりすぎ、場合によっては体温よりも低い温度となって、逆に入浴者の身体的負担を大きくしてしまう可能性がある。
【０００８】
そこで、本発明は、入浴者の身体的負担のより一層の軽減を図ることのできる風呂装置を提供することを目的とする。
【課題を解決するための手段】
【０００９】
上記目的を達成するために、本発明は、次の技術的手段を講じた。
【００１０】
すなわち、本発明は、浴槽湯温を目標温度に調整する温度調整手段と、浴槽湯温の設定温度Ｔｓを設定する設定手段と、入浴中であるか否かを判定する入浴判定手段とを備え、前記温度調整手段は、前記入浴判定手段が入浴中であると判定すると前記設定温度Ｔｓを目標温度として浴槽湯温を調整するとともに、前記入浴判定手段が入浴中ではないと判定すると所定の保温温度Ｔｋを目標温度として浴槽湯温を調整するよう構成されている風呂装置において、前記温度調整手段は、少なくとも前記設定温度Ｔｓが所定の第１温度範囲内（例えば３８℃以上４２℃以下）であるとき、前記設定温度Ｔｓと前記保温温度Ｔｋとの差分（Ｔｓ−Ｔｋ）が、前記設定温度Ｔｓによって変化するよう構成されていることを特徴とするものである（請求項１）。
【００１１】
かかる本発明の風呂装置によれば、第１温度範囲内の設定温度Ｔｓの場合、設定温度Ｔｓと保温温度Ｔｋとの差分が、設定温度Ｔｓ毎に変化するため、入浴後の入浴者の身体的負担を軽減できるよう入浴者が入浴中ではないときに設定温度Ｔｓに応じて最適な保温温度Ｔｋで浴槽湯温を保温しておくことができる。
【００１２】
なお、第１温度範囲は、上限値及び下限値が定義されていてもよく（下限値〜上限値の範囲）、下限値のみが定義されていてもよく（下限値以上）、上限値のみが定義されていてもよい（上限値以下）。また、温度調整手段は、高温湯若しくは冷水の落とし込みにより浴槽湯温を目標温度に調整するものであってもよく、浴槽内湯水を追い焚きする追い焚き回路を有する給湯装置により浴槽湯温を昇温させるとともに浴槽湯温の冷却は自然放熱により行うよう構成されていてもよく、その他適宜の構成であってよい。好ましくは、入浴中ではないとの判定状態から入浴中であるとの判定状態に変化した場合には、短時間で浴槽湯温を調整するために、高温湯若しくは冷水の落とし込み、又は、浴槽内湯水の追い焚きによって積極的に浴槽湯温の調整を行う一方、入浴中であるとの判定状態から入浴中ではないとの判定状態に変化した場合の浴槽湯温の冷却は自然放熱により行う（この場合も加熱は追い焚き若しくは高温湯の落とし込みによる）ことができる。
【００１３】
また、入浴判定手段は、浴槽内湯水の水位の変動に基づいて浴槽内に入浴中であるか否かを判定するものであってもよいし、浴室内に設けた赤外線センサ等の人感センサによって浴槽内に入浴中であるか否かを判定するものであってもよいし、その他適宜の構成であってよい。
【００１４】
上記本発明の風呂装置において、前記温度調整手段は、前記設定温度Ｔｓが前記第１温度範囲内であるとき、前記差分（Ｔｓ−Ｔｋ）が０以上の値となり、且つ、前記設定温度Ｔｓが高くなるほど前記差分（Ｔｓ−Ｔｋ）が大きくなるとともに前記保温温度Ｔｋが高くなるよう構成されていてもよい（請求項１）。これによれば、第１温度範囲内の設定温度Ｔｓの場合、未入浴時の目標温度Ｔｋが入浴時の目標温度Ｔｓよりも低く、入浴開始時のヒートショックの発生を防止できるとともに、設定温度Ｔｓが低い場合には保温温度Ｔｋを設定温度に近づけてもヒートショックが生じる可能性は小さく、より高い温度で保温することで浴室内の雰囲気温度を少しでも暖かくしておくことができ、一方、設定温度Ｔｓが高い場合には低いときよりも保温温度Ｔｋとの差分を大きくするが低い設定温度Ｔｓにおける保温温度Ｔｋよりも高い設定温度Ｔｓにおける保温温度Ｔｋの方が高くなるため、従来の風呂装置により高い設定温度Ｔｓまで昇温させるための時間が短くなって、入浴者に希望の温度での入浴体験を与えるまでに入浴者に長時間の入浴を誘因してしまうことがなく、熱中症の発生を防止できる。
【００１５】
また、前記温度調整手段は、前記設定温度Ｔｓが前記第１温度範囲よりも高い所定の第２温度範囲内（例えば、４３℃以上）であるとき、前記設定温度Ｔｓと前記保温温度Ｔｋとの差分（Ｔｓ−Ｔｋ）が一定となるよう構成されていてもよい（請求項２，３）。これによれば、比較的高い温度での入浴を希望するユーザーに対しては、高温での入浴体験を優先する制御を行うことで、ユーザーの満足度を向上できる。なお、設定温度Ｔｓを第２温度範囲に誤って設定してしまうことを防止するために、第２温度範囲内に設定するためには、第１温度範囲内での設定温度Ｔｓの設定変更のための操作とは異なる操作を要求することが好ましい。
【００１６】
また、前記温度調整手段は、前記設定温度Ｔｓが前記第１温度範囲よりも低い所定の第３温度範囲内（例えば、３７℃以下）であるとき、前記保温温度Ｔｋが一定となるよう構成されていてもよい（請求項４）。これによれば、例えば設定温度Ｔｓを体温以下とするクールダウン入浴を行う場合に、未入浴時の保温温度Ｔｋを体温と同等程度としておき、入浴開始後に浴槽湯温を低下させることで、入浴者の心臓等への負担を軽減しつつ希望の冷水温でのクールダウン入浴体験を提供できる。
【００１７】
また、前記温度調整手段は、前記設定温度Ｔｓが前記第１温度範囲よりも低い所定の第３温度範囲内であるとき、前記保温温度Ｔｋが前記設定温度Ｔｓ以上の温度となるよう構成されていてもよい（請求項４，５）。これによれば、クールダウン入浴を行うために設定温度Ｔｓを体温以下に設定している場合に、未入浴時の保温温度Ｔｋを体温に近づけることによって、入浴開始時の心臓等への負担を軽減できる。
【００１８】
また、前記温度調整手段は、前記設定温度Ｔｓが前記第１温度範囲よりも低い所定の第３温度範囲内であるとき、前記設定温度Ｔｓと前記保温温度Ｔｋとの差分（Ｔｓ−Ｔｋ）が一定となるよう構成されていてもよく（請求項４，６）、例えば当該差分は０であってもよい。これによれば、設定温度Ｔｓが体温以下のクールダウン入浴温度に設定されている場合には、未入浴時も設定温度Ｔｓ若しくは設定温度Ｔｓから一定の温度差で温調しておくことで、入浴開始時の昇温動作若しくは冷却動作が不要となる。
【発明の効果】
【００１９】
以上説明したように、本発明の風呂装置によれば、少なくとも設定温度が所定の第１温度範囲内であるとき、設定温度と保温温度との差分が、設定温度によって変化するよう構成することにより、入浴者の身体的負担のより一層の軽減を図ることができる。
【図面の簡単な説明】
【００２０】
【図１】本発明の一実施形態に係る風呂装置の作動原理図である。
【図２】同風呂装置のふろ設定温度と未入浴時の保温温度との関係を示すグラフである。
【図３】設定温度が第１温度範囲内であるときの同風呂装置の浴槽湯温の温調制御のタイムチャートである。
【図４】設定温度が第３温度範囲内であるときの同風呂装置の浴槽湯温の温調制御のタイムチャートである。
【発明を実施するための形態】
【００２１】
図１は、本発明の一実施形態に係る風呂装置の模式図である。この風呂装置は、風呂追い焚き機能を有する給湯装置１と、該給湯装置１の各種運転操作を行うためのコントローラとしてのふろリモコン５１及び台所リモコン５２とを備えている。
【００２２】
給湯装置１は、給湯機能を実現する給湯回路２、追い焚き機能を実現する追焚回路３、給湯回路２から追焚回路３へ湯張り等のために湯又は水を供給する注水・注湯回路４、及び、これらの作動制御を行う制御部５を備えている。なお、図例のものは１缶２水タイプのものを図示しているが、これに限らず、２缶２水タイプのものでも本発明を実施することができる。又、図例のものは、熱交換器として、燃焼ガスの顕熱を吸熱する一次熱交換器に加え燃焼排ガスからの潜熱を回収する二次熱交換器を組み合わせた潜熱回収型に構成されたものを図示しているが、これに限らず、二次熱交換器を有しないものでも本発明を実施することができ、潜熱回収型であることは必須ではない。以下の説明では、一次熱交換器及び二次熱交換器を組み合わせたものを、単に給湯用熱交換器２２又は追焚用熱交換器３２と表示する。
【００２３】
給湯回路２は、水道水等の給水を給水路２１を介して給湯用熱交換器２２に導き、給湯用熱交換器２２において燃焼バーナ２３で生じる燃焼熱との熱交換加熱により加熱した湯を給湯路２４に出湯させ、この湯を台所や洗面所等の各所の給湯栓２５まで給湯するようになっている。給水路２１と給湯路２４との間には、給湯用熱交換器２２をバイパスして給水路２１からの給水を給湯路２４に流入させるバイパス路２６が設けられ、バイパス弁２６ａを開にすれば連通するようになっている。給水路２１には流量センサ２７や給水温度を検出する給水温度センサ２８が介装され、給湯路２４には給湯用熱交換器２２で加熱された直後の出湯の温度を検出する缶体出口温度センサ２９が介装されている。
【００２４】
追焚回路３は、追い焚き機能を実現するために、浴槽６の循環アダプタ６１と追焚用熱交換器３２との間に配管された戻り路３０ａ及び往き路３０ｂから主構成される循環回路により構成され、浴槽６内に湯張りされた浴槽湯水を所定温度まで追い焚き加熱し得るようになっている。すなわち、循環ポンプ３１の作動により浴槽６から戻り路３０ａを通して追焚用熱交換器３２に浴槽湯水が供給され、かかる浴槽湯水が燃焼バーナ３３で発生する燃焼熱により追焚用熱交換器３２で熱交換加熱されて追い焚きされ、追い焚き後の浴槽湯水が往き路３０ｂを通して浴槽６に戻されるよう構成され、戻り路３０ａを通過する浴槽湯水の温度が所定の目標温度となるまで追い焚きされるようになっている。循環ポンプ３１は戻り路３０ａ及び往き路３０ｂのいずれか一方(図例では戻り路３０ａ)に介装されている。戻り路３０ａには流れを検知して後述の制御部５に出力する水流スイッチ３４や戻り路３０ａにより戻される浴槽６内の浴槽湯水の温度を検出する戻り温度センサ３５が介装され、又、往き路３０ｂには追い焚き後の浴槽湯水の温度を検出する往き温度センサ３６が介装されている。なお、図１中の符号３７は、前記の給湯用燃焼バーナ２３や追焚用燃焼バーナ３３に燃料ガスを供給するためのガス供給系である。
【００２５】
注水・注湯回路４は、給湯路２４の途中から分岐して追い焚き循環路３０の戻り路３０ａに連通接続される注湯路４１を備えており、この注湯路４１を通して給湯路２４の湯水が戻り路３０ａに流入され、これが両側に分流して戻り路３０ａ及び往き路３０ｂのそれぞれを通す両搬送形式で浴槽６に注湯（又は注水）されるようになっている。注湯路４１には、給湯路２４の側である上流側から順に流量センサ４２，注湯電磁弁４３，逆流防止用の一対の逆止弁４４，上流側での負圧発生時に逆流発生を防止する縁切り弁４５がそれぞれ介装され、加えて、追焚循環路３０との合流点近傍には浴槽６内の水位を検出する圧力式の水位センサ４６が介装されている。
【００２６】
なお、図１中の符号７は外気温センサであり、この外気温センサ７はケース内の雰囲気温度を検出することにより外気温を検出するようになっている。又、符号８はドレン処理装置であり、このドレン処理装置８は、給湯用熱交換器２２や追焚用熱交換器３３に含まれる二次熱交換器において燃焼排ガスが潜熱回収のための熱交換により冷やされて凝縮することにより生じたドレンを集水路８２を介して集水し、中和槽８１で中和処理した上で排水路８３から排水させるために設置されたものである。
【００２７】
以上の給湯回路２，追焚回路３及び注水・注湯回路４等は、マイコンにより主構成される制御部５によって、給湯運転、追焚運転、注水・注湯による湯張り運転、湯張り・追焚・保温までを自動制御するふろ自動運転、又は、配管洗浄制御等の各種の運転制御が、台所リモコン５１及びふろリモコン５２からの指令並びに上記の各種センサの検出値等に基づいて行われるようになっている。
【００２８】
台所リモコン５１及びふろリモコン５２は、従来公知の構成を有し、操作ボタン乃至タッチパネルの操作によって、ふろ自動運転制御時の入浴時の浴槽湯温の設定温度Ｔｓを、例えば３３℃〜４８℃の範囲内で１℃刻みで設定可能に構成されている。いずれか一方のリモコンにおける設定内容は他方のリモコン並びに給湯装置１の制御部５にも送信されて記憶保持される。而して、いずれのリモコン５１，５２も、浴槽湯温の設定温度Ｔｓを設定する設定手段として機能する。
【００２９】
ふろリモコン５２は浴室内の壁面に設置され、特に本実施形態では、赤外線センサーにより構成される人感センサー５３がふろリモコン５２に設けられて、人感センサー５３の検出信号に基づいて入浴中であるか否か（浴室内に人が存在するか否か）を判定する入浴判定手段として機能するよう構成されている。この場合、浴室内に人が入ることをもって「入浴中」と判定することとなるが、浴室への入室後浴槽に入るまでの間に浴槽湯温が設定温度Ｔｓに温調されてしまうことを緩和するため、入室後所定時間の経過をもって「入浴中」であると判定させることが可能である。
【００３０】
人感センサー５３が浴槽内に人が入ったか否かを検出できるものであれば、浴槽内に人が入ることにより「入浴中」と判定させることもできる。また、上記のようにリモコン５２を入浴判定手段として機能させるのではなく、水位センサ４６の検出水位を監視する給湯装置１の制御部５を入浴判定手段として機能させることもできる。すなわち、水位センサ４６の検出水位が急激に所定量増加した場合に、その後検出水位が急激に所定量低下するまでの間、「入浴中」であると判定し、検出水位が急激に所定量低下してから急激に所定量増加するまでの間は「入浴していない」と判定するよう制御部５を構成できる。また、上記の人感センサー５３によって「入室」を判定し、入室中であると判定されているときに水位センサ４６の検出水位が急激に増加すると「入浴中」であると判定するよう構成することもできる。入浴中判定の基準及び方法はどのようなものであってもよく、適宜変更できる。
【００３１】
制御部５によるふろ自動運転制御について詳細に説明すると、ふろ自動運転制御は、リモコン５１，５２のふろ自動スイッチをユーザーがＯＮ操作することで開始され、まず、ふろ自動運転開始指令、並びに、湯はり量及び目標温度に関する情報が、リモコン５１，５２から制御部５に送信される。これにより、制御部５は、注水・注湯回路４及び追焚循環路３０を通して給湯回路２からの湯を浴槽６に注湯する。この際の注湯量は水位センサ４６又は注湯流量センサ４２の積分等により把握・特定されて、浴槽６内には所定水位まで湯張りされることになる。次に、追焚回路３の追焚用燃焼バーナ３３及びガス供給系３７からなる追焚燃焼系や循環ポンプ３１が作動制御され、追焚用燃焼バーナ３３の燃焼熱を受けて追焚用熱交換器３２を通る浴槽６内の湯水が熱交換加熱され、リモコン５１，５２から指示された目標温度まで追焚加熱されることになる。追焚加熱が終了すれば、引き続いて、浴槽６内の湯水温度を目標温度に維持させるために間欠的に追焚制御を実行する保温運転を設定時間（例えばふろ自動スイッチＯＮから４時間）が経過するまで、又は、ユーザーにより風呂自動スイッチがＯＦＦされるまで行う。而して、制御部５及びリモコン５１，５２が、浴槽湯温を目標温度に調整する温度調整手段として機能する。
【００３２】
そして、本実施形態では、制御部５は、ふろ自動運転制御中、上記入浴判定手段によって入浴中であると判定されているときは、リモコン５１，５２により設定された設定温度Ｔｓを目標温度として浴槽湯温を調整するとともに、入浴中ではないと判定されているときは、設定温度Ｔｓ毎に定められた所定の保温温度Ｔｋを目標温度として浴槽湯温を調整するよう構成されている。なお、ふろリモコン５２が入浴中であるか否かを判定する場合には、かかる判定結果に応じてふろリモコン５２が随時目標温度を制御部５に指示更新するよう構成してもよいし、上記の判定結果のみをふろリモコン５２から制御部５に送信して、制御部５が、リモコン５１，５２から受信する設定温度Ｔｓと、上記の判定結果とに基づいて目標温度を設定温度Ｔｓ及び保温温度Ｔｋのいずれかに設定するよう構成することもできる。また、制御部５が入浴中であるか否かを判定する場合には、かかる判定結果と設定温度Ｔｓとに基づいて制御部５が目標温度を設定温度Ｔｓ及び保温温度Ｔｋのいずれかに設定するよう構成することができる。
【００３３】
また、リモコン５１，５２は、それぞれ後述の安心入浴モードのオン／オフ、ふろホットロックモードのオン／オフ、最大差分キープモードのオン／オフ、クールダウン浴定温保温モードのオン／オフをそれぞれ切換設定操作可能に構成されており、これら各モードの状態に応じて、設定温度Ｔｓに対する保温温度Ｔｋの関係が切り替わるよう構成されている。
【００３４】
図２は、設定温度Ｔｓと保温温度Ｔｋとの関係を示すグラフであって、制御部５及び／又はふろリモコン５２は、かかるグラフに示した関係に基づいて設定温度Ｔｓに対する目標温度Ｔｋを求めるよう構成できる。なお、当該関係は、数式の形態で実装されていてもよく、各設定温度Ｔｓに対応して関連づけられた目標温度Ｔｋの関係テーブルの形態で実装されていてもよく、また、各設定温度Ｔｓ毎に目標温度Ｔｋとの差分値を記憶しておき、設定温度Ｔｓと対応する差分値との演算によって目標温度Ｔｋを算出することもできる。
【００３５】
より詳細に本実施形態における設定温度Ｔｓと保温温度Ｔｋとの関係を説明すると、安心入浴モードのオフ時には、未入浴時の保温温度Ｔｋは、設定温度Ｔｓと同じ温度とされ、従来と同様の通常の保温動作が行われる。
【００３６】
安心入浴モードのオン時には、３８℃以上４２℃以下の安心入浴温度範囲内（第１温度範囲内）では、保温温度Ｔｋ＝１９＋（設定温度Ｔｓ／２）の関係となるよう保温温度Ｔｋが各設定温度Ｔｓ毎に定められる。設定温度Ｔｓと保温温度Ｔｋとの差分（Ｔｓ−Ｔｋ）は、（設定温度Ｔｓ−３８）／２となり、設定温度Ｔｓが第１温度範囲の下限値である３８℃のときに上記差分が０となり、設定温度Ｔｓが１℃上昇するごとに差分が０．５℃ずつ上昇するようになっている。かかる安心入浴温度範囲では、保温温度Ｔｋは設定温度Ｔｓよりも低温となり、図３に示すように、入浴中ではないと判定されているときに比較的低温の保温温度Ｔｋで浴槽湯温を温調し、入浴中であると判定されると浴槽湯温を設定温度Ｔｓまで追い焚き等によって昇温させるよう構成されている。
【００３７】
４３℃以上（第２温度範囲内）の設定温度Ｔｓは、ふろホットロックモードがオフのときにのみ設定可能となされていて、ふろホットロックモードがオン時には、４３℃以上に設定しようとしても強制的に設定温度Ｔｓとして４２℃が設定されるようになっている。設定温度Ｔｓが４３℃以上に設定された場合、安心入浴モードがオン、且つ、最大差分キープモードがオフであるときは、安心入浴温度範囲内と同様、保温温度Ｔｋ＝１９＋（設定温度Ｔｓ／２）の関係となるよう保温温度Ｔｋが各設定温度Ｔｓ毎に定められる。一方、安心入浴モードがオン、且つ、最大差分キープモードがオンであるときは、安心入浴温度範囲の上限値である４２℃のときの設定温度Ｔｓと保温温度Ｔｋとの差分、すなわち２℃の差分を維持するよう設定温度Ｔｓに対して未入浴時の保温温度Ｔｋが設定される。すなわち、Ｔｋ＝Ｔｓ−２の関係式に基づいて未入浴時の保温温度Ｔｋが設定される。
【００３８】
３７℃以下（第３温度範囲内）は、利用者がクールダウン浴を行う場合に設定される温度範囲であって、設定温度Ｔｓが３７℃以下に設定された場合には、次のように保温温度Ｔｋが設定される。すなわち、安心入浴モードがオン、且つ、クールダウン浴定温保温モードがオフであるときは、安心入浴温度範囲内と同様、保温温度Ｔｋ＝１９＋（設定温度Ｔｓ／２）の関係となるよう保温温度Ｔｋが各設定温度Ｔｓ毎に定められる。具体的には、設定温度Ｔｓが３７℃のときは保温温度Ｔｋは３７．５℃となり、設定温度Ｔｓが１℃低くなるごとに、保温温度Ｔｋが０．５℃低くなり且つ差分（Ｔｓ−Ｔｋ）が０．５℃大きくなっていく。かかるクールダウン浴温度範囲では、保温温度Ｔｋは設定温度Ｔｓよりも高温となり、図４に示すように、入浴中ではないと判定されているときに比較的高温の保温温度Ｔｋで浴槽湯温を温調し、入浴中であると判定されると浴槽湯温を設定温度Ｔｓまで冷水の落とし込み等によって下降させるよう構成されている。なお、安心入浴モードがオフ、且つ、クールダウン浴定温保温モードがオフであるとき、設定温度Ｔｓを保温温度Ｔｋとしたり、差分（Ｔｓ−Ｔｋ）が一定値となるよう保温温度Ｔｋを設定することもできる。
【００３９】
一方、３７℃以下の設定温度Ｔｓであって、安心入浴モードがオン、且つ、クールダウン浴定温保温モードがオンであるときは、保温温度Ｔｋを、安心入浴温度範囲の下限値である３８℃のときの保温温度である３８℃に維持するよう構成されている。
（安心入浴のための他の各種機能の説明）
【００４０】
本発明は、上記実施形態に限定されるものではなく、適宜設計変更できる。例えば、安心入浴温度範囲内の設定温度Ｔｓが１℃変化する毎に保温温度Ｔｋもリニアに変化させたが、設定温度Ｔｓが２〜３℃変化する毎に保温温度Ｔｋが段階的に変化するよう構成することも可能である。また、設定温度Ｔｓと保温温度Ｔｋとの関係式の係数及び定数や、第１〜第３の温度範囲のそれぞれの下限値及び上限値などを、ユーザーの好みや各種センサーの検出誤差等を考慮して、手動で設定変更できるように構成しておくこともできる。
【符号の説明】
【００４１】
１  給湯装置
５  制御部（温度調整手段）
５２  ふろリモコン（入浴判定手段および設定手段）
【図１】
0006743471.tif 000002
【図２】
0006743471.tif 000003
【図３】
0006743471.tif 000004
【図４】
0006743471.tif 000005